(57)【特許請求の範囲】
【請求項１】
楽器ボディと、
前記ボディに結合される、少なくとも１本の導電性の弦と、
前記楽器ボディに取り付けられる接地コネクタと、
前記接地コネクタに前記弦を電気的に結合する弦アース回路と、
を備え、
前記弦アース回路は、
前記弦と前記接地コネクタとの間に前記弦アース回路の一部となる電流経路を有する回路遮断器と、
前記少なくとも１本の弦と電気的に結合する第１の部分と、該第１の部分との間にすき間を有し、該第１の部分に直接導通しない第２の部分と、を含む導電層が底表面に形成された接地板と、
を含み、
前記回路遮断器は、前記第１の部分と前記第２の部分との間に直列に接続され、
前記少なくとも１本の導電性の弦は、前記楽器ボディ及び前記接地板を貫通するブリッジ穴に、前記接地板の前記導電層と接触するように挿通される、
ことを特徴とする楽器。
【請求項２】
前記回路遮断器は開回路構成と閉回路構成を有する、請求項１に記載の楽器。
【請求項３】
前記回路遮断器は、所定の大きさを有する電流が前記電流経路に印可された後に前記開回路構成であるように構成される、請求項２に記載の楽器。
【請求項４】
前記回路遮断器はヒューズである、請求項１に記載の楽器。
【請求項５】
前記ヒューズはヒューズソケットおよび取り外し可能なヒューズを備える、請求項４に記載の楽器。
【請求項６】
さらに、前記弦アース回路は、前記楽器ボディの一部まで延びて、前記回路遮断器に直列に接続される接地線を備える、請求項１に記載の楽器。
【請求項７】
前記導電性の接地板は、前記少なくとも１本の弦と前記楽器ボディとを結合する部材である、請求項１に記載の楽器。
【請求項８】
前記接地コネクタは、前記楽器ボディに直接取り付けられるジャック板である、請求項１に記載の楽器。
【請求項９】
前記接地コネクタは、ピグテールを介して前記楽器ボディに間接的に取り付けられる、
請求項１に記載の楽器。
【請求項１０】
前記所定の電流の大きさは１〜３０ｍＡである、請求項３に記載の楽器。
【請求項１１】
前記所定の電流の大きさは４〜６ｍＡである、請求項３に記載の楽器。
【請求項１２】
ボディと少なくとも１本の導電性の弦を備える楽器用の弦アース回路であって、
前記弦アース回路は、
前記少なくとも１本の弦に電気的に結合されるよう構成される導電性の接地板と、
前記接地板と、前記楽器ボディに取り付けられるよう構成される接地コネクタとの間に直列に電気的に結合される回路遮断器と、
を備え、
前記接地板の底表面には、前記少なくとも１本の弦と電気的に結合する第１の部分と、
該第１の部分との間にすき間を有し、該第１の部分に直接導通しない第２の部分と、を含む導電層が形成され、
前記回路遮断器は、前記第１の部分と前記第２の部分との間に直列に接続され、
前記少なくとも１本の導電性の弦は、前記楽器ボディ及び前記接地板を貫通するブリッジ穴に、前記接地板の前記導電層と接触するように挿通される、
ことを特徴とする弦アース回路。
【請求項１３】
前記回路遮断器は、所定の電流制限を超える、回路遮断器を通る電流の流入が防止されるように構成される、請求項１２に記載の弦アース回路。
【請求項１４】
前記回路遮断器はヒューズである、請求項１２に記載の弦アース回路。
【請求項１５】
前記ヒューズはヒューズソケットおよび取り外し可能なヒューズを備える、請求項１４に記載の弦アース回路。
【請求項１６】
前記所定の電流制限は１〜３０ｍＡである、請求項１３に記載の弦アース回路。
【請求項１７】
前記所定の電流制限は４〜６ｍＡである、請求項１３に記載の弦アース回路。
【請求項１８】
楽器ボディと、
前記ボディに結合される、複数の導電性の弦と、
前記楽器ボディに直接取り付けられる接地コネクタと、
少なくとも１本の弦と前記接地コネクタとの間に直列に電気的に結合される回路遮断器と、
前記少なくとも１本の弦と電気的に結合する第１の部分と、該第１の部分との間にすき間を有し、該第１の部分に直接導通しない第２の部分と、を含む導電層が底表面に形成された接地板と
を備え、
前記回路遮断器は、前記第１の部分と前記第２の部分との間に直列に接続され、
前記少なくとも１本の導電性の弦は、前記楽器ボディ及び前記接地板を貫通するブリッジ穴に、前記接地板の前記導電層と接触するように挿通される、
ことを特徴とする楽器。
【請求項１９】
前記回路遮断器は、所定の電流制限を超える、前記回路遮断器を通る電流の流入が防止されるように構成される、請求項１８に記載の楽器。
【請求項２０】
前記回路遮断器はヒューズである、請求項１８に記載の楽器。
【請求項２１】
前記所定の電流制限は１〜３０ｍＡである、請求項１９に記載の楽器。
【請求項２２】
前記所定の電流制限は４〜６ｍＡである、請求項１９に記載の楽器。
【請求項２３】
前記接地コネクタはジャック板である、請求項１８に記載の楽器。
【請求項２４】
前記少なくとも１本の導電性の弦の一方の端部には，前記接地板の前記導電層と接触するボールエンドが設けられた、請求項１、１２、１８のいずれか１項に記載の楽器。
【請求項２５】
前記ブリッジ穴には、前記少なくとも１本の導電性の弦を、当該ブリッジ穴の側壁に対して押し込むようにブリッジピンが挿入されている、請求項１、１２、１８のいずれか１項に記載の楽器。
【発明の詳細な説明】
【技術分野】
【０００１】
本発明は、楽器用の接地経路、特に電子楽器用の回路遮断器を有する接地経路に関する。
【背景技術】
【０００２】
プロやアマチュアのミュージシャンは、ピックアップ、すなわち、楽器をアンプに電気接続させることを可能にする装置、を装着した弦楽器をよく使用する。しかしながら、電気アンプや、マイクロフォンのような他の周辺装置の使用は、ときに死に至らしめるかもしれない感電の危険をもたらす。
【０００３】
感電の脅威は、種々の電気的不具合を介して生じうる。例えば、１）ミュージシャンの機器の電気的不具合、２）ミュージシャンの機器が取り付けられる電源回路の不適切な配線、および／または３）周辺装置の電気的故障、である。ギタリストのアンプが、ギターの出力ジャックのアース側に高電圧を誘導するとき、第１の不具合のケースが生じる。第２の不具合のケースは、“アース”が接地されずかつコンセントの“ニュートラル”および“ホット”側面が逆になっており、それにより高電圧が“ニュートラル”のリード線に印可される結果となる三つ又壁ソケットの不適切な配線である。ミュージシャンの機器は適切に配線された壁ソケットに接続されているあいだは適切に機能しているが、例えばマイクロフォンのような他の機器が不適切に接地されているときに、第３の不具合のケースは起こる。
【０００４】
電子楽器においては、たびたび、例えばアンプを介してアースが備えられる。いかなる誘発ノイズも楽器の回路から排出させるために経路を備えることによって、アースは可聴ノイズの量を減じる。しかしながら、ある場合においては、アースは存在しない、または不十分である。アースが欠如している楽器において、ノイズ低減を与える通常の方法は、“弦”アースを内蔵することによって“接地効果”を与えることであった。
【０００５】
弦アースは、エレキギターの回路に通常使用される。一般に、弦アースは、弦からギター回路のアース出力または接地面までの導電路を含む。最も一般的な弦アース構成において、金属製のギター弦は、金属ブリッジおよび、該金属ブリッジとボリュームツマミを覆う外面またはギター内部の遮蔽との間に接続される電線に接する。そのような設計はノイズの低減を与えるにもかかわらず、またそれは、前述の不具合の一つに関連して、ミュージシャンが感電しうる機構をも生み出す。
【０００６】
感電の危険を軽減するための提案は、周辺装置と同様にミュージシャンのすべての機器が差し込みテスタを用いて接続される電源差し込みを点検することが含まれている。しかしながら、そのような方法は常に実行可能とはなり得ない。各差し込みの点検は極めて時間がかかり、差し込み口がミュージシャンによって制御されない機器に電源を供給する場合は許可されないかもしれない。
【０００７】
また、漏電遮断器（ＧＦＣＩ）延長コードの使用も、感電の危険を軽減しうる方法として提案されてきた。該提案は、ＧＦＣＩ延長コードに電子装置を差し込むことや、壁ソケットに延長コードを差し込むことが含まれる。閾値漏洩電流が検出されるならば、そのような回路は遮断するか、または開くであろう。しかしながら、そのような方法は、種々の欠点を有する。まず、あらゆるＧＦＣＩ延長コードは、適切に機能していることを確認するため各使用に先立ってチェックされなければならない。次に、多数の装置が、多くの機器部品を用いての生産を必要とするようになり、法外にコスト高の技法となるかもしれない。さらに、該技法を完全に利用するため、ミュージシャンによって所有されない周辺機器を含む、ミュージシャンが触れるであろうあらゆる機器で、ＧＦＣＩ装置は使用されなければならない。
【０００８】
また、ギターのような電子楽器に対する種々の改変は、感電の危険を軽減するために提案されてきた。例えば、弦アースの除去が推奨されてきた。しかしながら、そのような改変は、接地によって与えられるノイズ軽減の利点をも除去する。
【０００９】
別の提案された改変は、弦アース経路内において、コンデンサと抵抗器とを並列に配置することを求める。しかしながら、該改変は、感電が生じることを防止しないが、もし電気容量と抵抗が十分であるならば、感電が死に至らしめることを防止しうる。実際、該改変は厳密な最大電流制限を与えず、むしろ電流レベルを低減する。結果として、電流がそのような装置によって低減された後でさえ、低減された電流は依然として死に至らしめうる。
【００１０】
上述したことから考えて、感電の危険を低減するように構成される弦アース経路を特徴として備える楽器に対する必要性が存在する。
【発明の開示】
【発明が解決しようとする課題】
【００１１】
前述したことに鑑み、本発明の目的は、回路遮断器を有する弦アース回路を特徴として備える楽器を提供することである。
【００１２】
本発明の別の目的は、非致死電流が印可されると弦アース回路を開くよう定格する取り外し可能なフューズを内蔵する弦アース回路を特徴として備える楽器を提供することである。
【００１３】
本発明のまた別の目的は、後付けとしてまたは初期組立て中において、ギターに組み込まれうる回路遮断器を内蔵する弦アース回路を提供することである。
【課題を解決するための手段】
【００１４】
本発明の一つの態様は、回路遮断器を内蔵する楽器の弦アース回路を含む。回路遮断器は、所定の電流制限を上回る大きさの電流を印可すると弦アース回路を開くように構成される。
【００１５】
本発明の好適な実施形態において、楽器は、電気的に導電性の弦と、該弦と接地接続器とに延びる弦アース回路と、を内蔵する。弦アース回路は、弦アース回路を介して所定の電流制限を超える大きさの電流の流れを妨げる回路遮断器を内蔵する。回路遮断器は、ヒューズソケットおよび取り外し可能なヒューズで構成されるヒューズである。
【００１６】
本発明のそれらのおよび他の特徴と利点は、同様の参照符号が全体にわたって同様の部品を示す付属の図面とともに、本発明の後述する詳細な説明の概要から理解されるであろう。
【発明を実施するための最良の形態】
【００１７】
下記の段落において、本発明は、添付の図面を参照することにより詳細に説明される。この説明を通して、好適な実施形態や実施例は、本発明における限界というよりもむしろ類例として考えられるべきである。ここに使用されるとおり、“本発明”は、ここに記載される本発明の実施形態および任意の均等物の一つを示す。さらに、本文を通して“本発明”の種々の特徴への言及は、すべての請求項に係る実施形態または方法が該言及された特徴を備えなければならないという意味ではない。
【００１８】
ミュージシャンが、前述の電気的不具合の一つを経て電荷した楽器または周辺機器の一部に出くわすと、ミュージシャンの体は高電流に対して最も電気抵抗のない経路の一部となりうる。もしそうなれば、大きな電流が弦アース回路およびミュージシャンを貫通しうる。本発明は、感電からミュージシャンを守る回路遮断器を有する弦アース回路を備える楽器を提供する。
【００１９】
（図１に示されるようなギターであってよい）楽器１０は、一般的にヘッド１１と、ボディ部１２と、ヘッド１１とボディ部１２とのあいだに延びるネック部１３と、複数の弦１４を備える。複数のチューニングヘッド１５は、ヘッド１１上に取り付けられ、各弦１４の第１端は各チューニングヘッド１５の一部の周囲に巻き付けられ、一方、弦１４の反対側の端はボディ部１２にしっかりと結合される。チューニングヘッド１５の操作は、例えば回転によって、弦１４の張力を調整するように使用されうる。
【００２０】
ボディ部１２は、示されるとおり空洞であってもよいし、空洞でなくてもよい。ボディ部１２は、一般に、表板２１またはサウンドボードと、ブリッジ板２２と、底板２３と、側壁２４と、を含む。示された実施形態において、側壁２４は、表板２１と底板２３のそれぞれに各外周に沿って結合され、かつ、空洞を形成するよう表板２１と底板２３との間に延びる。ブリッジ板２２は表板２１の表面に結合され、かつ各弦１４の先端がボディ部１２にしっかり結合されうるように弦取付機構を備える。ボディ部１２は、図２に示されるとおりならびに従来技術において認識されるとおり、ボディ部１２上またはその内部のいずれかに配置される多くの筋交い、内張り、溝および／または後部ブロックをも含みうることが認識されるであろう。
【００２１】
上述したとおり、ネック部１３はヘッド１１とボディ部１２との間に延びる。一般に、ネック部１３は、細長いネック部材１６と、ナット１７と、フレットボード１９と、複数のフレット２０と、を含む。ネック部材１６の第１の端はヘッド１１に取り付けられ、他方、ネック部材１６の第２の端はボディ部１２に取り付けられる。ネック部材１６は、メカニカルファスナー（例えば、ねじ、ボルト等）および／または接着剤のような公知の方法でヘッド１１とボディ部１２とに取り付けられうる。ネック部材１６は、木、プラスチック、金属または当業者によって認識されるであろう組合せで組み立てられうる。
【００２２】
ナット１７は、ヘッド１１近傍のネック部１３の第１の端でネック部材１６に結合される。ナット１７は、プラスチック、金属、象牙、木または公知の他の材料から構成された断面形状を有するブロックであってよい。また、ナット１７は、弦１４を受けかつ正しい方向に向けるための（示されない）溝を含みうる。ナット１７は、例えばメカニカルファスナーおよび／若しくは接着剤によってネック部材１６にしっかり結合されうるか、またはナット１７は弦１４によりネック部材１６によりかかって適切な位置に保持されうる。
【００２３】
フレットボード１９は、ネック部材１６の上面に結合されうる。一般に、フレットボード１９は薄く細長い部材である。フレットボード１９は、ナット１７からボディ部１２に向かって延びうる。フレットボード１９は、ネック部材１６と、ボディ部１２の表板２１の一部に重なり合う。フレットボード１９は、木、プラスチック、金属またはそれらの任意の組合せから作られてよいし、さらにフレットボード１９は、象眼のような装飾的特徴を含んでもよい。フレットボード１９は、メカニカルファスナーおよび／もしくは接着剤により、または他の公知の付着技法により、ネック部材１６に固定されうる。
【００２４】
フレット２０は、フレットボード１９にしっかり結合される。一般に、フレット２０は、フレットボード１９を水平にまたがり、フレットボード１９の上面の上方に延びる。フレット２０は、金属、プラスチック、木または他の公知の材料から作られてよいし、各フレット２０の一部を、フレットボード１９に機械加工された切れ目または溝の中に挿入することによりフレットボード１９に固定されてもよい。さらにまた、あるいは代替として、フレット２０は、メカニカルファスナーおよび／または接着剤を使用してフレットボードに結合されうる。
【００２５】
各弦１４の第１の端は、それぞれのチューニングヘッド１５の一部の外周に巻き付けられる。下記のとおり、各弦１４は、フレットボード１９とフレット２０に沿ってかつそれらの上にすき間をもってナット１７の真上に、ならびにサドル３２の真上に張られており、ボディ部１２にしっかりと結合される。公知のとおり、チューニングヘッド１５の動作は、例えば回転により、弦１４の張力を調整するように使用されうる。弦１４は、導電性があり、鉄、真鍮または公知の他の材料から作られうる。
【００２６】
図４および図５に示されるとおり、各弦１４の端におけるボールエンド２７はブリッジ穴２８を貫通し、ブリッジピン２９によって所定の位置に保持される。ブリッジ穴２８は、ブリッジ板２２、表板２１、ピン板３０および接地板３１を貫通して、ボディ部１２によって範囲を定められる空洞の中に延びる。
【００２７】
接地板３１は、複数の接地板穴３５のそれぞれがブリッジ穴２８の下部となるように、ピン板３０の底面に取り付けられる。接地板３１およびピン板３０は、公知の接着剤または各種のファスナーによって結合されうる。接地板３１は、底部導電層３４、上部導電層３３、および接地板穴３５を備える。好ましくは、導電層３３、３４は、非導電層４０によって分離される。接地板３１は、紙フェノールのような材料、ガラスエポキシ材料またはポリアミドもしくはポリスチレンのようなプラスチックで作られうる。各導電層は、表面コーティングまたは積層として形成されてよいし、層３３、３４の導電材料は銅、すず、真鍮、銀、ニッケルまたは公知の他の導電材料であってよい。本発明の別の実施形態によると、接地板３１は、１つまたは複数のジャンパ線（示されない）に置き替えられうる。
【００２８】
図３および図４に示されるとおり、接地板３１の底表面コーティング３４は好ましくはとぎれていて、例えばすき間４１があり、それによって、導電層３４の第１の部分３６と第２の部分３７との間に直流導通がないことを確実にする。本発明の一つの態様によると、回路遮断器３８は、第１の部分３６と第２の部分３７との間に直列に接続される。ここに使用されるものとして、“回路遮断器”は、所定の閾電流値次第で開回路を形成することが可能な、能動または受動の装置である。示された実施形態において、回路遮断器３８は、ヒューズのような受動装置を備える。所定の限界を超える電流が印可されると、回路遮断器は、閉回路構成から、電流の導通を防止する開回路構成に変わる。
【００２９】
導電層３４の第１の部分３６と第２の部分３７との間に直列に電気的に結合されるヒューズソケットにプラグ接続される超小型ヒューズを、回路遮断器３８は備えうる。例えば、回路遮断器３８は、イリノイ州デスプレーンズのリトルヒューズ社製造のＭｉｃｒｏ  Ｖｅｒｙ  Ｆａｓｔ−Ａｃｔｉｎｇ  Ｓｕｂｍｉｎｉａｔｕｒｅ  Ｐｌｕｇ−Ｉｎ  Ｆｕｓｅのような、取り外し可能な超小型ヒューズであってよい。回路遮断器３８は、はんだづけ、溶接、または公知の他の導電固定技法によって、導電層３４の第１の部分３６および第２の部分３７に結合されうる。
【００３０】
本発明の原理にしたがって、回路遮断器３８は、致死電流が弦アース回路およびミュージシャンを通過しうる前に開回路を形成するように選択される。認識されるであろうとおり、回路遮断器３８の電流定格または電流制限の閾値は、致死電流が弦アース回路を通過するに先立って回路遮断器３８が遮断する（すなわち、開回路を形成する）ように選択される。回路遮断器３８については、電流閾値が１〜３０ミリアンペア（ｍＡ）の範囲内であることが望ましい。好ましくは、閾値はおおよそ１〜７ｍＡの範囲内にあり、最も好ましくは約５ｍＡである。
【００３１】
さらに、回路遮断器３８は接地板に直接結合されて示されているが、回路遮断器は弦アース回路内のどこにでも配置されうることは、理解されるであろう。そのような実施形態の一つは図９に示される。この実施形態において、接地板１３１が示されている。アース線１３７は接地板１３１に、はんだづけされるか、さもなければ電気接続される。また、アース線１３７は、回路遮断器１３８に直列に電気接続され、次に回路遮断器１３８はアース線１３９に電気接続される。
【００３２】
さらに、図４を参照すると、回路遮断器３８からジャック板のような接地コネクタ（示されない）に導電経路を与えるために、アース線３９は、好ましくは、導電層３４の第２の部分３７に、または回路遮断器３８に直接電気的に結合される。接地コネクタは、楽器の電子機器回路を、アンプを介して備えつけられるアースに電気的に結合し使用する任意の構成でありうる。例えば、楽器の回路は、楽器本体に直接取り付けられる外付けジャック板に（時にボリュームのつまみの筐体を介して）電気的に結合される接地回路を備えうる。
【００３３】
ジャック板は、好ましくは、アンプに延びるコードのアース線に結合されるのに対し、接地コネクタは、好ましくは、楽器のボディ部に直接取り付けられる。本発明のさらなる実施形態によると、接地コネクタはボディ部に間接的に取り付けられてもよい。例えば、接地コネクタは、楽器の任意の部分から引き伸ばされるピグテールの端に取り付けられるオーディオジャックを備えうる。アース線３９は、第２の部分３７および回路遮断器３８のうちの１つまたは両方に、はんだづけのような公知の導電固定技法を使用して直接接続される導電線であってよい。
【００３４】
図５に示されるとおり、各弦１４および／またはボールエンド２７は、接地板３１の導電層３４に接触して配置されるように取り付けられる。弦１４の取付けのあいだ、ボールエンド２７はブリッジ穴２８を通って、ボディ部１２によって範囲が定められる空洞の中に挿入される。次に、弦１４は、穏やかに引っ張られ、他方、ブリッジピン２９はブリッジ穴２８の中に押し込まれる。適切に取り付けられたブリッジピン２９はブリッジ穴２８の側壁に対して各弦１４を押し込み、他方、ボールエンド２７は、接地板３１の導電層３４の第１の部分３６に接触して保持される。ボールエンド２７と導電層３４との間の相互作用は、弦１４と接地板３１との間に導通を与える。上述したとおり、弦アース回路内の残りの構成要素間の接合は、例えばはんだづけのような公知の導電固定技法を使用して形成される。
【００３５】
弦アース回路の経路は、少なくとも弦１４、回路遮断器３８および接地コネクタを介して、弦１４と接地コネクタとの間に延びる。前に述べ示したとおり、弦アース回路の経路は、ボールエンド、接地板および／またはボリュームのつまみの筐体のようなさらなる導電部材をも含みうる。
【００３６】
図６ないし図８を参照すると、楽器５０は、ヘッド５１、ボディ部５２、ネック部５３および複数の弦５４とで構成される。ボディ部５２および弦５４の構成を除いて、楽器５０の構成要素は、一般的に図１ないし図５の楽器１０に関する上述の相当部分と機能的に同一であり、それゆえ詳細な説明はされない。
【００３７】
楽器５０のボディ部５２は空洞ではないが、ピックアップ、ボリュームおよびトーンコントロール用の回路を収容する空隙を備えてもよい。弦５４は、固定されたブリッジの代わりに、トレモロ５５を介してボディ部５２に結合されうる。トレモロ５５は金属で作られ、接地板としての機能を果たすので、別の接地板は必要ない。
【００３８】
図６に描かれるとおり、弦５４は、トレモロ５５とネック部５３上のナットとの間に自由に動くように取り付けられる。図８を参照すると、弦５４のボールエンド５７は、弦５４がトレモロ穴５８を通って抜けるのを防止する。弦５４とボールエンド５７は導電性があり、ボールエンド５７とトレモロ５５との間の接触は、弦５４とトレモロとの間に導通を与える。
【００３９】
本発明の態様によると、回路遮断器５９は、弦アースを形成するために、トレモロ５５と接地コネクタ（示されない）に延びるアース線６０との間に、電気的に結合されかつその間に置かれる。前述の実施形態と同様に、接地コネクタは、ボディ部５２に直接取り付けられるジャック板であってもよいし、または楽器５０から延びる電線に電気的に結合されてもよい。
【００４０】
本発明の好適な実施によると、楽器は、弦１４の動きを電気信号に変換するためのピックアップを備えるアコースティックギターを含む。しかしながら、当業者に理解されるとおり、ここに記載の原理は、本発明の目的からはずれることなく、エレキギター、マンドリン、ベース、バイオリン、チェロを含む、導電性の弦やピックアップを使用するその他の楽器にも適用されうる。
【００４１】
ある楽器の既存の弦アース回路が、本発明に係る回路遮断器を備えるために、改良され、または後付けされうることは、理解されるであろう。さらに、回路遮断器のついた弦アース回路は、既存の楽器に増設され、または製造中初期に楽器に組み入れられうる。
【００４２】
さらに、本発明の弦アース回路は、回路遮断器が技術者の助力を求めることなく簡単に取り替えられうるように構成されうる。また、本発明の回路遮断器は、弦アース回路のどこにでも、そしてたやすく取替えられうるどこにでも、置かれうる。さらにまた、本発明の回路遮断器は、取り替えを要求するというよりもむしろ再設定でき、回路遮断器を閉回路構成に戻すように設定しうる。
【００４３】
さらに、本発明の弦アース回路は、弦の数に関係なく、導電性の弦を用いる任意の楽器に使用されうるし、電磁式および／もしくは圧電式のピックアップのような、いかなる型式またはそれらの組合せを一緒に使用されうることは、理解されるであろう。また、弦アース回路は、回路遮断器の起動に視覚的または音響的表示を与えうることも理解されるであろう。換言すれば、回路遮断器が落ちたり、または閉構成から開構成に変換されるとき、ミュージシャンは注意を喚起されうる。
【００４４】
制限のためではなく、図示の目的のために、本発明の詳細な説明に示されるさまざまな実施形態および好適な実施形態以外によっても、本発明は実施されうるし、本発明は下記請求項によってのみ制限されることを、当業者は理解するであろう。本発明の詳細な説明において示される個別の実施形態の均等物もまた実施されうることは留意される。
【図面の簡単な説明】
【００４５】
【図１】本発明の原理に係る、回路遮断器を有する弦アース回路を内蔵する楽器の斜視図である。
【図２】本発明の原理に係る、回路遮断器を有する弦アース回路を示す図１の楽器のボディ部の表板の底面図である。
【図３】本発明の原理に係る、回路遮断器を有する弦アース回路を示す図１の楽器の、図２に示されたＡ部分を拡大しその細部を示す図である。
【図４】図３の線Ｂ−Ｂに沿った、図１の楽器の一部の断面図である。
【図５】図３の線Ｃ−Ｃに沿った、図１の楽器の一部の断面図である。
【図６】本発明の別の実施形態に係る、回路遮断器を有する弦アース回路を内蔵する楽器の斜視図である。
【図７】図６の楽器のボディ部のフロントの裏側の破断図である。
【図８】本発明の原理に係る、回路遮断器を有する弦アース回路を示す図６の楽器の、図７に示されたＤ部分を拡大しその細部を示す図である。
【図９】本発明の別の実施形態の斜視図である。
【図１】
0005394755.tif 000002
【図２】
0005394755.tif 000003
【図３】
0005394755.tif 000004
【図４】
0005394755.tif 000005
【図５】
0005394755.tif 000006
【図６】
0005394755.tif 000007
【図７】
0005394755.tif 000008
【図８】
0005394755.tif 000009
【図９】
0005394755.tif 000010